(57)【要約】【課題】在席時においては、携帯電話端末にかかってきた電話に対しても固定電話機で対応できるようにすると共に、携帯電話端末に登録されている電話帳データを固定電話機においても必要な限度で利用できるようにする。【解決手段】携帯電話端末５は、ドック装置４を通じてＳＩＰサーバ１に接続されている時に、携帯電話網を通じて自機宛ての着信を受けると、通知された電話番号に基づいて、発信元情報取得部５１１により電話帳ＤＢ５１４の電話帳データが参照され、発信元情報が取得する。この取得した発信元情報を含む着信情報を、着信情報生成部５１２が形成し、外部Ｉ／Ｆ５３２及び外部端子５３１を通じてＳＩＰサーバ１に提供する。【選択図】図６
2012213097.tif 000002
【特許請求の範囲】
【請求項１】
広域ネットワークに接続されると共に、配下に１以上の電話端末が接続される交換装置に対して、携帯電話ネットワークを通じて通信を行う携帯電話端末が接続されて構成される電話システムであって、
前記携帯電話端末は、
外部機器との接続端子と、
電話帳データを記憶する記憶手段と、
前記接続端子を通じて前記交換装置に接続されている時に、前記携帯電話ネットワークを通じて自機宛ての着信を受け付けた場合に、通知される相手先の電話番号に基づいて、前記記憶手段の電話帳データを参照し、発信元情報を取得する取得手段と、
取得された前記発信元情報を含む着信情報を生成し、前記接続端子を通じて前記交換装置に提供するようにする着信情報生成手段と、
前記接続端子を通じて前記交換装置からの前記着信に対する応答指示を受け付けた場合に、前記交換装置と前記発信元との間の音声データの中継を行うようにする中継処理手段と
を備え、
前記交換装置は、
外部機器の接続を受け付けるインターフェース手段と、
前記インターフェース手段を通じて前記携帯電話端末からの前記着信情報を受け付けた場合に、前記着信情報に含まれる前記発信元情報を含めた呼び出しメッセージを配下の電話端末に対して提供するように制御する呼び出し制御手段と、
前記呼び出しメッセージに対する配下の電話端末からの応答を受け付けた場合に、応答指示を形成し、前記インターフェースを通じて前記携帯電話端末に提供するように制御する応答指示制御手段と、
前記応答指示を提供した後、応答を行った配下の前記電話端末と前記携帯電話端末との間の音声データを中継するように制御する通話制御手段と
を備えることを特徴とする電話システム。
【請求項２】
請求項１に記載の電話システムであって、
前記携帯電話端末と前記交換装置との間に、
前記携帯電話端末の前記接続端子と接続される第１の接続端部と、
前記交換装置の前記インターフェース手段と接続される第２の接続端部と、
前記第１の接続端部を通じて前記着信情報を受け付けた場合に、前記着信情報に含まれる前記発信元情報を含む前記交換装置用の呼び出しメッセージを形成して、前記第２の接続端部を通じて前記交換装置に供給する呼び出しメッセージ生成手段と、
前記携帯電話端末と前記交換装置との間で送受される情報の中継を行うようにする中継処理手段と
を備えたドック装置を配置することを特徴とする電話システム。
【請求項３】
請求項１または請求項２に記載の電話システムであって、
前記携帯電話端末の前記記憶手段には、電話帳データが用途に応じて分類可能に記憶されており、
前記携帯電話端末において、
前記取得手段で取得された前記発信元情報が、当該携帯電話端末のユーザの個人用途の電話帳データに応じて生成されたものである場合に、前記着信情報提供手段は、前記発信元情報を含まない前記着信情報を形成し、あるいは、出力を禁止する情報を付加した前記発信元情報を含む前記着信情報を形成することを特徴とする電話システム。
【請求項４】
請求項１または請求項２に記載の電話システムであって、
前記携帯電話端末の前記記憶手段には、電話帳データが用途に応じて分類可能にされており、
前記携帯電話端末において、
前記取得手段で取得された前記発信元情報が、個別着信用の電話帳データに応じて生成されたものである場合に、前記取得手段は、前記発信元情報に個別着信用であることを示す情報を付加することを特徴とする電話システム。
【請求項５】
広域ネットワークに接続されると共に、配下に１以上の電話端末が接続される交換装置に対して、携帯電話ネットワークを通じて通信を行う携帯電話端末が接続されて構成される電話システムの前記携帯電話端末であって、
外部機器との接続端子と、
電話帳データを記憶する記憶手段と、
前記接続端子を通じて前記交換装置に接続されている時に、前記携帯電話ネットワークを通じて自機宛ての着信を受け付けた場合に、通知される相手先の電話番号に基づいて、前記記憶手段の電話帳データを参照し、発信元情報を取得する取得手段と、
取得された前記発信元情報を含む着信情報を生成し、前記接続端子を通じて前記交換装置に提供するようにする着信情報生成手段と、
前記接続端子を通じて前記交換装置からの前記着信に対する応答指示を受け付けた場合に、前記交換装置と前記発信元との間の音声データの中継を行うようにする中継制御手段と
を備えることを特徴とする携帯電話端末。
【請求項６】
広域ネットワークに接続されると共に、配下に１以上の電話端末が接続される交換装置に対して、携帯電話ネットワークを通じて通信を行う携帯電話端末が接続されて構成される電話システムの前記交換装置であって、
外部機器の接続を受け付けるインターフェース手段と、
前記インターフェース手段を通じて前記携帯電話端末からの前記着信情報を受け付けた場合に、前記着信情報に含まれる前記発信元情報を含めた呼び出しメッセージを配下の電話端末に対して提供するように制御する呼び出し制御手段と、
前記呼び出しメッセージに対する配下の電話端末からの応答を受け付けた場合に、応答指示を形成し、前記インターフェースを通じて前記携帯電話端末に提供するように制御する応答指示制御手段と、
前記応答指示を提供した後、応答を行った配下の前記電話端末と前記携帯電話端末との間の音声データを中継するように制御する通話制御手段と
を備えることを特徴とする交換装置。
【請求項７】
広域ネットワークに接続されると共に、配下に１以上の電話端末が接続される交換装置に対して、携帯電話ネットワークを通じて通信を行う携帯電話端末を接続して電話システムを構成する場合に、前記交換装置と前記携帯電話端末とを接続するためのドック装置であって、
前記携帯電話端末は、接続端子を通じて前記交換装置に接続されている時に、前記携帯電話ネットワークを通じて自機宛ての着信を受け付けた場合に、通知される相手先の電話番号に基づいて、自機の記憶手段の電話帳データを参照し、発信元情報を取得し、取得された当該発信元情報を含む着信情報を形成し、前記接続端子を通じて前記交換装置に提供し、前記接続端子を通じて前記交換装置からの前記着信に対する応答指示を受け付けた場合に、前記交換装置と前記発信元との間の音声データの中継を行うようにすることができるものであり、
前記交換装置は、インターフェース手段を通じて前記携帯電話端末からの前記着信情報を受け付けた場合に、前記着信情報に含まれる前記発信元情報を含めた呼び出しメッセージを配下の電話端末に対して提供し、前記呼び出しメッセージに対する配下の電話端末からの応答を受け付けた場合に、応答指示を形成し、前記インターフェースを通じて前記携帯電話端末に提供し、前記応答指示を提供した後、応答を行った配下の前記電話端末と前記携帯電話端末との間の音声データを中継することができるものであり、
当該ドック装置は、
前記携帯電話端末の前記接続端子と接続される第１の接続端部と、
前記交換装置の前記インターフェース手段と接続される第２の接続端部と、
前記第１の接続端部を通じて前記着信情報を受け付けた場合に、前記着信情報に含まれる前記発信元情報を含む前記交換装置用の呼び出しメッセージを形成して、前記第２の接続端部を通じて前記交換装置に供給する呼び出しメッセージ生成手段と、
前記携帯電話端末と前記交換装置との間で送受される情報のデータ形式の変換処理を行って中継を行うようにする中継処理手段と
を備えることを特徴とするドック装置。
【請求項８】
広域ネットワークに接続されると共に、配下に１以上の電話端末が接続される交換装置に対して、携帯電話ネットワークを通じて通信を行う携帯電話端末が接続されて構成される電話システムで用いられる着信通知接続方法であって、
前記携帯電話端末においては、
接続端子を通じて前記交換装置に接続されている時に、前記携帯電話ネットワークを通じて自機宛ての着信を受け付けた場合に、通知される相手先の電話番号に基づいて、取得手段により自機の記憶手段の電話帳データを参照し、発信元情報を取得する取得工程と、
着信情報提供手段が、取得された前記発信元情報を含む着信情報を生成し、前記接続端子を通じて前記交換装置に提供するようにする着信情報生成工程と、
前記接続端子を通じて前記交換装置からの前記着信に対する応答指示を受け付けた場合に、中継制御手段により、前記交換装置と前記発信元との間の音声データの中継を行うように制御する中継制御工程と
を有し、
前記交換装置においては、
インターフェース手段を通じて前記携帯電話端末からの前記着信情報を受け付けた場合に、着信通知制御手段により、前記着信情報に含まれる前記発信元情報を含めた呼び出しメッセージを配下の電話端末に対して提供するように制御する呼び出し制御工程と、
前記呼び出しメッセージに対する配下の電話端末からの応答を受け付けた場合に、応答指示制御手段により、応答指示を形成し、前記インターフェースを通じて前記携帯電話端末に提供するように制御する応答指示制御工程と、
前記応答指示を提供した後、通話制御手段が、応答を行った配下の前記電話端末と前記携帯電話端末との間の音声データを中継するように制御する通話制御工程と
を有することを特徴とする着信通知接続方法。
【発明の詳細な説明】
【技術分野】
【０００１】
この発明は、例えば、ＳＩＰ（Session Initiation Protocol）サーバや主装置といった交換装置に対して携帯電話端末を接続して構成する電話システム、当該電話システムで用いられる各装置及び方法に関する。
【背景技術】
【０００２】
携帯電話端末は、外出の多い業務や屋外での作業の多い業務に従事している人にとって、取引先や所属する会社との連絡を確実に取るための手段として必需品となっている。携帯電話端末は、よく電話をかけたり、よく電話を受けたりする多数の相手先の電話番号や名前を電話帳データとして登録しておくことができる。そして、携帯電話端末においては、電話帳データが登録済みの相手先から電話がかかってきたときには、着信時において、応答操作前に発信元の名前をディスプレイに表示するなどして通知することができる。また、携帯電話端末においては、登録済みの電話帳データの中から目的とする相手先の電話帳データを選択するだけで、いわゆるテンキー（数字キー）を用いて電話番号の入力を行うことなく、当該相手先に電話を掛けることができる。
【０００３】
このような携帯電話端末の使い勝手のよさに着目し、携帯電話端末で用いられている電話帳データを事務所などに設置されたボタン電話機などの固定電話機でも利用できるようにすることが考えられている。例えば、後に記す特許文献１には、携帯電話端末の電話帳データをボタン電話システムの子機で表示できるようにする技術が開示されている。また、後に記す特許文献２には、携帯電話端末に登録された電話番号を利用して、他の電話を用いた通信を行うことができるようにする技術が開示されている。これら特許文献１、２に記載の技術は、基本的に、携帯電話端末に登録されている電話帳データをボタン電話機などの固定電話機側にダウンロードすることによって実現される。
【０００４】
なお、この明細書において、ボタン電話システムは、ＳＩＰサーバや主装置などの交換装置と専用電話端末で構成する構内電話システムを意味し、ボタン電話機は、このようなシステムで用いられる当該専用電話端末を意味する。また、この明細書において、固定電話機は、ボタン電話機等の通話する場所が固定される電話機を意味し、携帯電話端末に対する対比語として用いている。
【先行技術文献】
【特許文献】
【０００５】
【特許文献１】特開２００１−６９２２５号公報
【特許文献１】特開２００１−２８５４４８号公報
【発明の概要】
【発明が解決しようとする課題】
【０００６】
ところで、業務に用いる携帯電話端末と私的に用いる携帯電話端末とを使い分けるといったことは面倒であるので、通常は１台の携帯電話端末を業務でも私用でも用いるようにすることが多い。したがって、携帯電話端末には、業務用の電話帳データとプライベート用の電話帳データとが混在する場合もある。このため、上述した特許文献１、２に記載の技術のように、携帯電話端末に登録されている電話帳データを固定電話機側にダウンロードして用いる場合には、プライバシーの問題が生じる場合がある。すなわち、他の人に知らせる必要のない相手先の電話番号や名前が他の人に通知されてしまう可能性が生じるのである。
【０００７】
そこで、業務上使用することのないプライベートな電話帳データについては、ボタン電話機側にはダウンロードしないようにすることが考えられる。しかし、ダウンロードする電話帳データを選択しながら、携帯電話端末からボタン電話機側に電話帳データをダウンロードするのは手間や時間がかかる場合があり面倒である。このことから考えると、上述した特許文献１、２に記載の技術は、業務で使用される頻度が高い携帯電話端末の場合には有用であるが、プライベートで使用される頻度の高い携帯電話端末の場合には、プライバシーの問題が生じる場合があると考えられる。
【０００８】
また、上述した特許文献１、２に記載の技術は、飽くまでも携帯電話端末の電話帳データをボタン電話機などの固定電話機側で使用できるようにするものである。このため、携帯電話端末を業務でも使用しているユーザが事務所に在席している場合には、当然ながら携帯電話端末にかかってきた電話には当該携帯電話端末で応答し、事務所のボタン電話システムにかかってきた電話には当該ボタン電話機で応答しなければならない。すなわち、事務所に在席している間においては、携帯電話端末と事務所のボタン電話器との両方に対応しなければならならず面倒な場合がある。
【０００９】
以上のことに鑑み、この発明は、例えば、在席時においては、携帯電話端末にかかってきた電話に対しても固定電話機で対応できるようにすると共に、携帯電話端末に登録されている電話帳データを固定電話機において必要な限度で利用できるようにすることを目的とする。
【課題を解決するための手段】
【００１０】
上記課題を解決するため、請求項１に記載の発明の電話システムは、
広域ネットワークに接続されると共に、配下に１以上の電話端末が接続される交換装置に対して、携帯電話ネットワークを通じて通信を行う携帯電話端末が接続されて構成される電話システムであって、
前記携帯電話端末は、
外部機器との接続端子と、
電話帳データを記憶する記憶手段と、
前記接続端子を通じて前記交換装置に接続されている時に、前記携帯電話ネットワークを通じて自機宛ての着信を受け付けた場合に、通知される相手先の電話番号に基づいて、前記記憶手段の電話帳データを参照し、発信元情報を取得する取得手段と、
取得された前記発信元情報を含む着信情報を生成し、前記接続端子を通じて前記交換装置に提供するようにする着信情報生成手段と、
前記接続端子を通じて前記交換装置からの前記着信に対する応答指示を受け付けた場合に、前記交換装置と前記発信元との間の音声データの中継を行うようにする中継処理手段と
を備え、
前記交換装置は、
外部機器の接続を受け付けるインターフェース手段と、
前記インターフェース手段を通じて前記携帯電話端末からの前記着信情報を受け付けた場合に、前記着信情報に含まれる前記発信元情報を含めた呼び出しメッセージを配下の電話端末に対して提供するように制御する呼び出し制御手段と、
前記呼び出しメッセージに対する配下の電話端末からの応答を受け付けた場合に、応答指示を形成し、前記インターフェースを通じて前記携帯電話端末に提供するように制御する応答指示制御手段と、
前記応答指示を提供した後、応答を行った配下の前記電話端末と前記携帯電話端末との間の音声データを中継するように制御する通話制御手段と
を備えることを特徴とする。
【００１１】
この請求項１に記載の発明の電話システムによれば、当該電話システムは、交換装置に対して携帯電話端末が接続されて構成される。交換装置は、広域ネットワークに接続されると共に、配下に１以上の電話端末が接続されるものである。携帯電話端末においては、外部機器との接続端子を通じて交換装置に接続されている時に、携帯電話ネットワーク（携帯電話網）を通じて自機宛ての着信を受けると、通知された電話番号に基づいて、取得手段により記憶手段の電話帳データが参照され、発信元情報が取得される。そして、取得された発信元情報を含む着信情報が、着信情報提供手段により形成され、交換装置に提供される。この後、交換装置からの着信指示を受け付けると、中継制御手段により、発信元との間に通信路が接続され、交換装置と発信元との間の音声データの中継が行うようにされる。
【００１２】
一方、交換装置においては、インターフェース手段を通じて接続された携帯電話端末から着信情報が受け付けられると、呼び出し制御手段により、当該着信情報に含まれる発信元情報を含めた呼び出しメッセージが配下の電話端末に提供される。そして、呼び出しメッセージの提供を受けた配下の電話端末からの応答が受け付けられると、応答指示制御手段により応答指示が形成され、これが携帯電話端末に提供される。この後、通話制御手段により、応答を行った配下の電話端末と携帯電話端末との間の音声データが中継するようにされ、携帯電話端末をいわばゲートウェイとして用いて、発信元と交換装置の配下の電話端末との間で通話を行うことができるようにされる。
【００１３】
これにより、携帯電話端末が交換装置に接続されているときには、携帯電話端末にかかってきた電話に対して交換装置の配下の電話端末を通じて対応することができる。しかも、携帯電話端末に登録されている電話帳データを、交換装置の配下の電話端末においても発信元の通知に用いると言うように、必要な限度で利用することができるようにされる。
【発明の効果】
【００１４】
この発明によれば、例えば、在席時においては、携帯電話端末にかかってきた電話に対してもボタン電話器等の固定電話機で対応できるようにすることができる。また、携帯電話端末に登録されている電話帳データを、ボタン電話機等の固定電話機においても必要な限度で利用できるようにすることができる。
【図面の簡単な説明】
【００１５】
【図１】実施の形態の電話システムの概要を説明するためのブロック図である。
【図２】ＳＩＰサーバ１の構成を説明するためのブロック図である。
【図３】アドレス管理ＤＢ１０６に形成される管理情報（データベース）の構成例について説明するための図である。
【図４】ＩＰ電話端末３の構成例を説明するためのブロック図である。
【図５】ドック装置４の構成例を説明するためのブロック図である。
【図６】携帯電話端末５の構成例を説明するためのブロック図である。
【図７】実施の形態の電話システムの動作を説明するためのシーケンス図である。
【図８】携帯電話端末５においての処理を説明するためのフローチャートである。
【図９】ドック装置４においての処理を説明するためのフローチャートである。
【図１０】発信元情報の通知の他の例を説明するための図である。
【図１１】発信元情報の通知の他の例を説明するための図であり、電話帳データの管理例を説明するための図である。
【図１２】発信元情報の表示／非表示を、発信元情報に特定の情報等を付加することにより制御する方式を説明するための図である。
【図１３】発信元情報の表示／非表示を、発信元情報に特定の情報等を付加することにより制御する場合のドック装置における処理を説明するためのフローチャートである。
【発明を実施するための形態】
【００１６】
以下、図を参照しながら、この発明によるシステム、装置、方法の一実施の形態について説明する。以下に説明する実施の形態においては、例えば、事業所内に形成されるボタン電話システムであって、ＩＰ（Internet Protocol）網を通じて電話通信を行うことができるＩＰ電話システムに、この発明を適用した場合を例にして説明する。
【００１７】
［電話システムの概要］
図１は、この実施の形態の電話システムの概要を説明するためのブロック図である。図１に示すように、この実施の形態の電話システムは、ＳＩＰサーバ１に対してＬＡＮ（Local Area Network）２を通じ、複数のＩＰ電話端末３（１）、３（２）、…と、複数のドック装置４（１）、４（２）、…とが接続されて構成される。
【００１８】
ＳＩＰサーバ１は、図１に示したように、ＩＰ網６と電話網７とに接続され、通信路（通信回線）を接続する端末間のアドレス解決をするものである。つまり、ＳＩＰサーバ１は、レジストラ・サーバ機能とプロキシ・サーバ機能とを備え、これらの機能を用いることによって、ＬＡＮ２に接続された電話システム内の機器との間や、ＬＡＮ２に接続された機器とＩＰ網６や電話網７に接続された機器との間に、通信路を接続することができるようにするものである。
【００１９】
なお、ＩＰ網６は、ＩＰ（Internet Protocol）を用いて通信を行うネットワークを意味し、具体的にはインターネットである。また、電話網７は、アナログ方式の公衆交換電話網（ＰＳＴＮ（Public Switched Telephone Network））、デジタル回線網（ＩＳＤＮ（Integrated Services Digital Network））、３Ｇ回線などと呼ばれる第３世代の高速携帯電話ネットワーク（携帯電話網）などを含むものである。
【００２０】
ＩＰ電話端末３（１）、３（２）、…のそれぞれは、通話を行うためにユーザによって用いられる通信端末である。ＩＰ電話端末３（１）、３（２）、…のそれぞれは、上述したように、ＳＩＰサーバ１を通じて、ＬＡＮ２に接続された同じ事業所内の他のＩＰ電話端末との間や、ＩＰ網６や電話網７に接続された外部の電話端末との間で通話を行う場合に用いられる。すなわち、ＩＰ電話端末３（１）、３（２）、…のそれぞれは、ＬＡＮ２に接続されたＩＰ電話端末との間の内線通話と、ＩＰ網６や電話網７に接続された外部の電話端末との間の外線通話とを行うことができるものである。
【００２１】
ドック装置４（１）、４（２）、…のそれぞれは、詳しくは後述もするが、携帯電話端末５を、ＬＡＮ２を通じてＳＩＰサーバ１に接続すると共に、携帯電話端末５に対して充電を行う機能を備えたものである。携帯電話端末５は、携帯電話網を通じて通信路を接続して通話を行うことができるものである。また、携帯電話端末５は、携帯電話網を通じてインターネットに接続し、Ｗｅｂページを閲覧したり、種々の情報のダウンロードやアップロードを行ったり、また、電子メールの送信、受信を行ったりすることができるものである。
【００２２】
なお、この実施の形態において、ＩＰ電話端末３（１）、３（２）、…のそれぞれは、同様に構成されるものである。このため、以下においては、特に区別して示す場合を除き、ＩＰ電話端末３（１）、３（２）、…のそれぞれを総称してＩＰ電話端末３という。同様に、この実施の形態において、ドック装置４（１）、４（２）、…のそれぞれは、同様に構成されるものである。このため、以下においては、特に区別して示す場合を除き、ドック装置４（１）、４（２）、…のそれぞれを総称してドック装置４という。
【００２３】
そして、この実施の形態の電話システムにおいては、上述したように、携帯電話端末５をドック装置４に接続することによって、ＬＡＮ２を通じてＳＩＰサーバ１に接続することができると共に、当該携帯電話端末５に対して充電を行うことができる。ここで、「ＳＩＰサーバ１に接続」とは、ＳＩＰサーバ１との間でデータの送受信を行うことができるようにされることを意味する。
【００２４】
このように携帯電話端末５がドック装置４を介してＳＩＰサーバ１に接続された状態にあるときに、携帯電話網を通じて携帯電話端末５に着信があると、携帯電話端末５は着信情報を形成して、これをドック装置４に送信する。当該着信情報は、携帯電話端末５の電話帳データベースに記憶保持されている電話帳データから取得（抽出）された発信元情報を含むものである。
【００２５】
ドック装置４は、携帯電話端末５からの着信情報に含まれる発信元情報を含み、ＳＩＰ（Session Initiation Protocol）に準拠したＩＮＶＩＴＥ（呼び出し）メッセージを形成し、これをＬＡＮ２を通じてＳＩＰサーバ１に提供する。なお、発信元情報は、ＩＮＶＩＴＥメッセージのディスプレイネイム（Display name）に挿入される。ＳＩＰサーバ１は、ドック装置４からの当該ＩＮＶＩＴＥメッセージを受信すると、配下のＩＰ電話端末３（１）、３（２）、…に対して当該発信元情報を含むＩＮＶＩＴＥメッセージを提供し、着信があることを通知する。
【００２６】
これにより、携帯電話網からの携帯電話端末５への着信を、ＳＩＰサーバ１の配下のＩＰ電話端末３（１）、３（２）、…に通知することができる。この場合、ＳＩＰサーバ１からのＩＮＶＩＴＥメッセージには、携帯電話端末５からの発信元情報がディスプレイネイムに含められているので、ＩＰ電話端末３（１）、３（２）、…のそれぞれにおいて発信元の電話番号や名前の通知（表示）を行うことができる。
【００２７】
そして、着信通知を受けたＩＰ電話端末３（１）、３（２）、…のいずれかに対して、ユーザが当該着信通知に対する応答操作を行ったとする。この場合、応答操作が行われたＩＰ電話端末３から応答操作がされたことを示す情報が、ＳＩＰサーバ１、ドック装置４、携帯電話端末５に通知される。すると、ＳＩＰサーバ１、ドック装置４、携帯電話端末５のそれぞれが機能し、発信元と応答操作が行われたＩＰ電話端末３との間に通信路を接続し、発信元と当該ＩＰ電話端末３との間で通話を行うことができるようにされる。すなわち、携帯電話端末５をこの実施の形態の電話システムにおける１つのゲートウェイ装置として用いて、携帯電話端末５に対する着信の発信元とＳＩＰサーバ１の配下のＩＰ電話端末３との間に、携帯電話網を通じた通信路を接続し、発信元と当該ＩＰ電話端末３との間で通話ができるようにされるのである。
【００２８】
そして、発信元情報は、携帯電話端末５から提供されるので、ＩＰ電話端末３側に対応する電話帳データが存在しなくても、発信元の電話番号や名前等を発信元情報としてＩＰ電話端末３のディスプレイに表示することができる。換言すれば、着信時における発信元の通知という限られた範囲において、携帯電話端末５に登録されている電話帳データをＳＩＰサーバ１の配下のＩＰ電話端末においても用いることができるようにされる。
【００２９】
このように、この実施の形態の電話システムは、携帯電話端末５をゲートウェイ装置として利用すると共に、携帯電話端末５に記憶された電話帳データを、必要な限度でＳＩＰサーバ１の配下のＩＰ電話端末３でも利用することができるようにしている。以下、この実施の形態の電話システムを構成する各機器について具体的に説明する。
【００３０】
［ＳＩＰサーバ１の構成例］
次に、この実施の形態の電話システムのＳＩＰサーバ１の構成について説明する。図２は、ＳＩＰサーバ１の構成例を説明するためのブロック図である。図２に示すように、ＳＩＰサーバ１は、ＩＰ網６への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網７への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ２への接続端子１０８と、制御部１１０とを備えている。
【００３１】
制御部１１０は、この実施の形態のＳＩＰサーバ１の各部を制御するものであり、図２に示すように、ＣＰＵ（Central Processing Unit）１１１、ＲＯＭ（Read Only Memory）１１２、ＲＡＭ（Random Access Memory）１１３がシステムバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００３２】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００３３】
接続端子１０１は、ＩＰ網６への接続端部を構成するものである。ＩＰ網Ｉ／Ｆ１０２は、ＩＰ網６を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網６に送出する。
【００３４】
接続端子１０５は電話網７への接続端部を構成するものである。電話網Ｉ／Ｆ１０４は、電話網７を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網７に送出する。
【００３５】
接続端子１０８はＬＡＮ２への接続端部を構成するものである。ＬＡＮＩ／Ｆ１０７は、ＬＡＮ２を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ２に送出する。
【００３６】
パケット分解／生成部１０３は、パケットの分解や生成を行うものである。具体的には、ＬＡＮ２を通じてＳＩＰサーバ１に対して接続されるＩＰ電話端末３等からの電話網７に接続された端末装置に送信すべきパケットは、接続端子１０８、ＬＡＮＩ／Ｆ１０７を通じて制御部１１０に受け付けられる。当該パケットは、制御部１１０からパケット分解／生成部１０３に供給され、ここでパケット分解された後に、電話網Ｉ／Ｆ１０４、接続端子１０５を通じて電話網に送出され、目的とする相手先に送信するようにされる。
【００３７】
また、電話網に接続された端末装置からのＬＡＮ２を通じてＳＩＰサーバ１に接続される配下のＩＰ電話端末３等へのデータは、接続端子１０５、電話網Ｉ／Ｆ１０４を通じて制御部１１０に受け付けられる。当該データは、制御部１１０からパケット分解／生成部１０３に供給され、ここで所定の形式のパケットとされた後に、ＬＡＮＩ／Ｆ１０７、接続端子１０８を通じて、ＬＡＮ２に送出されて目的とするＩＰ電話端末３に送信するようにされる。
【００３８】
なお、ＩＰ網６に接続された端末と、ＳＩＰサーバ１にＬＡＮ２を通じて接続されるＩＰ電話端末３等との間では、パケットが送受される。このため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受するようにされる。同様に、ＳＩＰサーバ１にＬＡＮ２を通じて接続されるＩＰ電話端末３やドック装置４等の機器間においても、パケットが送受されるため、パケット分解／生成部１０３において、パケットの分解や生成は行われることはなく、ＬＡＮＩ／Ｆ１０７を通じてパケットが送受するようにされる。
【００３９】
そして、アドレス管理ＤＢ１０６は、レジストラ・サーバ機能を実現するために、ＩＰ網６やＬＡＮ２に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信する。この場合に、制御部１１０は、受信した要求に含まれるＵＲＩ（Uniform Resource Identifier）やＩＰアドレスなどのアドレス情報を抽出する。そして、制御部１１０は、抽出したアドレス情報をアドレス管理ＤＢ１０６に登録したり、抽出したアドレス情報を用いてアドレス管理ＤＢ１０６の登録情報を更新したりする。
【００４０】
このようにして、アドレス管理ＤＢ１０６に登録されて管理される情報が参照され、自機にＬＡＮ２を通じて接続されるＩＰ電話端末３などから要求のあった通信先を確実に特定する。そして、その特定した相手先に送信すべき情報（パケットデータ）を転送するようにするプロキシ・サーバとしての機能をＳＩＰサーバ１が実現するようにしている。また、アドレス管理ＤＢ１０６に登録されて管理される情報は、自機にＬＡＮ２を通じて接続されるＩＰ電話端末３などへの着信の判別などにも用いられる。
【００４１】
図３は、アドレス管理ＤＢ１０６に形成される管理情報（データベース）の構成例について説明するための図である。ＳＩＰサーバ１のアドレス管理ＤＢ１０６は、ＩＰ網６に接続された他のＩＰ電話システムの端末装置のアドレス情報の他、当該ＳＩＰサーバ１にＬＡＮ接続されたＩＰ電話端末３などについてのアドレス情報をも管理することができるものである。
【００４２】
基本的にＳＩＰサーバ１のアドレス管理ＤＢ１０６に形成される管理情報は、上述もしたように、ＩＰ網６に接続された端末装置から送信されてくるＵＲＩ（ＳＩＰ  ＵＲＩ）と、ＩＰアドレスである。そして、この実施の形態のＳＩＰサーバ１のアドレス管理ＤＢ１０６では、図３に示したように、ＳＩＰサーバ１にＬＡＮ接続されたＩＰ電話端末３については、ＵＲＩとＩＰアドレスの他、ＭＡＣ（Media Access Control）アドレスと内線番号についても管理する。
【００４３】
そして、この実施の形態の電話システムのＩＰ電話端末３からＩＰ網６に接続された端末装置に対する発信要求（発呼要求）をＳＩＰサーバ１が受け付けたとする。この場合、ＳＩＰサーバ１の制御部１１０は、自己のアドレス管理ＤＢ１０６の管理情報に基づいて、目的とする相手先の端末装置を特定し、この特定した端末装置に対して、メッセージの転送を行う。また、ＩＰ網６や電話網７を通じて、ＬＡＮ２に接続されているＩＰ電話端末３に対する着信要求（外線着信）をＳＩＰサーバ１が受け付けたとする。この場合、ＳＩＰサーバ１の制御部１１０は、送信されてきたメッセージを受け付けて、これを自システム内に送出する。
【００４４】
なお、外線着信であっても、例えば個別着信（着信先のＩＰ電話端末を特定した着信）や、ＳＩＰサーバ１にＬＡＮ接続されたＩＰ電話端末間の内線の発着信の場合には、ＳＩＰサーバ１は相手先を特定して着信を通知する。すなわち、この場合、ＳＩＰサーバ１の制御部１１０は、自己のアドレス管理ＤＢ１０６の管理情報に基づいて、目的とする相手先のＩＰ電話端末３を特定し、この特定したＩＰ電話端末３に対して、メッセージの転送を行う。
【００４５】
なお、発信に際して、ＩＰ電話番号が用いられる場合には、図１には図示しなかったが、ＩＰ網６に接続されているゲートウェイやＤＮＳ（Domain Name System）が利用されて、ＩＰ電話番号からＵＲＩなどが検索されて用いられることになる。相手先から、この実施の形態の電話システムを構成するＩＰ電話端末３に対して、ＩＰ電話番号を用いて電話をかける場合においても同様に、ＩＰ網６に接続されているゲートウェイやＤＮＳが利用されて、ＩＰ電話番号からＵＲＩなどが検索されて用いられることになる。
【００４６】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。したがって、この実施の形態の主装置１は、外線−内線間の接続や内線間の接続を行ったり、通信回線の使用状況を配下のＩＰ電話端末３に通知したりすることができるものである。
【００４７】
また、図１を用いて説明したように、ＳＩＰサーバ１には、ＬＡＮ２及びドック装置４を通じて携帯電話端末５も接続することができるようにしている。そして、後述もするが、ＳＩＰサーバ１が、ＬＡＮＩ／Ｆ１０７及び接続端子１０８を通じて接続されるドック装置４を通じて、携帯電話端末５に着信があることを示すＩＮＶＩＴＥメッセージを受け付けたとする。この場合、ＳＩＰサーバ１の制御部１１０は、ドック装置４からの発信元情報を含むＩＮＶＩＴＥメッセージを、ＬＡＮＩ／Ｆ１０７及び接続端子１０８を通じてＬＡＮ２に送出し、配下のＩＰ電話端末３に対して提供する。
【００４８】
そして、ＳＩＰサーバ１が、当該ＩＮＶＩＴＥメッセージを送出後、当該ＩＮＶＩＴＥメッセージに対する配下のＩＰ電話端末３からの応答を、ＬＡＮＩ／Ｆ１０７及び接続端子１０８を通じて受け付けたとする。この場合、ＳＩＰサーバ１の制御部１１０は、応答指示を形成し、これをＬＡＮＩ／Ｆ１０７及び接続端子１０８を通じてＬＡＮ２に送出し、ドック装置４を通じて着信が発生している携帯電話端末５に送信するようにする。
【００４９】
そして、ＳＩＰサーバ１の制御部１１０は、当該応答指示の送出後、応答を行った配下のＩＰ電話端末と着信が発生している携帯電話端末５との間の音声データを中継するようにする。このように、ＳＩＰサーバ１の制御部１１０は、呼び出し制御手段、応答指示制御手段、通話制御手段としての機能を実現し、ドック装置４を通じて自機に接続される携帯電話端末５への着信に対して、配下のＩＰ電話端末３を通じて応答し、当該ＩＰ電話端末３を通じて通話を行えるようにする機能をも実現する。
【００５０】
また、制御部１１０は、ＩＰ網Ｉ／Ｆ１０２、電話網Ｉ／Ｆ１０４、ＬＡＮＩ／Ｆ１０７を通じて、使用中の通信回線や空いている通信回線を把握し、適切に回線交換を行うこともできるようにしている。また、制御部１１０は、把握した通信回線の使用状態等に応じて、ＬＡＮ２を通じて接続されるＩＰ電話端末３毎に供給すべきＬＥＤ等の点灯、消灯を制御するための制御情報を形成する。当該制御情報は、ＬＡＮＩ／Ｆ１０７、接続端子１０８を通じてＬＡＮ２に送出され、各ＩＰ電話端末３等に送信される。
【００５１】
なお、図２において、パケット分解／生成部１０３は、独立した回路部分として示しているが、これに限るものではない。パケット分解／生成部１０３は、制御部１１０において実行されるプログラムにより、制御部１１０の機能として実現することももちろん可能である。
【００５２】
［ＩＰ電話端末の構成例］
次に、この実施の形態の電話システムで用いられるＩＰ電話端末３の構成について説明する。図４は、この実施の形態の電話システムのＩＰ電話端末３の構成例を説明するためのブロック図である。
【００５３】
この実施の形態のＩＰ電話端末３は、図４に示すように、主に電話機能を実現する部分として、ＬＡＮ接続端子３０１、ＬＡＮＩ／Ｆ３０２、パケット処理部３０３、通話音声入出力インターフェース（以下、通話音声入出力Ｉ／Ｆという。）３０４、ハンドセット接続端子３０５、ハンドセット３０６、操作入力部３１１、操作入力インターフェース（以下、操作入力Ｉ／Ｆという。）３１２、ディスプレイコントローラ３１３、ディスプレイ３１４、リンガ３１５を備えている。
【００５４】
また、この実施の形態のＩＰ電話端末３は、各部を制御する制御部３２０を備えている。制御部３２０は、ＣＰＵ３２１、ＲＯＭ３２２、ＲＡＭ３２３が、ＣＰＵバス３２４を通じて接続されて構成されたマイクロコンピュータである。ここで、ＣＰＵ３２１は、ＲＯＭ３２２に記憶保持されているプログラムを読み出して実行し、各部に供給する制御信号を形成してこれを各部に供給したり、また、各部から供給されるデータを処理したりするものである。ＲＯＭ３２２は、上述のように、ＣＰＵ３２１で実行される種々のプログラムや処理に必要になる各種のデータが記憶保持されたものである。また、ＲＡＭ３２３は、処理の途中結果を一時記憶するなど、主に作業領域として用いられるものである。
【００５５】
［着信時の動作］
そして、ＬＡＮ２を介して送信されてくるパケットデータは、ＬＡＮ接続端子３０１を通じてＬＡＮＩ／Ｆ３０２に供給され、ここで自機において処理可能な形式のデータに変換された後、ＣＰＵバス３２４を介して、パケット処理部３０３に供給される。パケット処理部３０３は、供給されたパケットデータに含まれる制御データや音声データを分解して抽出する。ここで抽出された制御データは制御部３２０に供給され、自機の制御に用いられる。また、自機（自端末）宛の音声データが含まれていた場合には、当該音声データは、ＣＰＵバス３２４を通じて通話音声入出力Ｉ／Ｆ３０４に供給されることになる。
【００５６】
パケット処理部３０３において分解されて抽出された制御データが、自機への呼び出しメッセージである場合には、制御部３２０は、リンガ３１５を制御して、着信鳴動させる。同時に、制御部３２０は、ディスプレイコントローラ３１３を制御し、ディスプレイ３１４の表示画面に自機に着信があることを通知するメッセージや発信元の電話番号や名前あるいは発信元の内線番号などを表示する。
【００５７】
そして、自機への着信に応じて、ユーザがハンドセット３０６をＩＰ電話端末３の本体から持ち上げると、当該ＩＰ電話端末３はオフフック状態となる。この場合、制御部３２０は、着信に応答するメッセージを形成し、これをパケット処理部３０３においてパケット化して、ＬＡＮＩ／Ｆ３０２に供給する。ＬＡＮＩ／Ｆ３０２は、当該パケットデータを送信用のパケットデータに変換し、これをＬＡＮ接続端子３０１を通じてＬＡＮ２に送出し、発呼先の端末に送信する。
【００５８】
これにより発信元との間において、通信路が生成され、通話が開始される。この場合、相手先からの音声データを含むパケットは、上述もしたように、ＬＡＮ接続端子３０１、ＬＡＮＩ／Ｆ３０２を通じて、パケット処理部３０３に供給される。パケット処理部３０３は、相手先からのパケットをパケット分解し、制御データは制御部３２０へ、音声データは通信音声入出力Ｉ／Ｆ３０４に供給する。
【００５９】
通信音声入出力Ｉ／Ｆ３０４は、パケット処理部３０３からの音声データから自機のハンドセット３０６のスピーカ（受話器）に供給するアナログ音声信号を形成し、これをハンドセット接続端子３０５を通じてハンドセット３０６のスピーカに供給する。これにより、相手先から送信されてくる相手先の音声が、ハンドセット３０６のスピーカ（受話器）から放音される。
【００６０】
一方、ハンドセット３０６のマイクロホン（送話器）によって集音された音声は、ここで電気信号に変換され、ハンドセット接続端子３０５を通じて通信音声入出力Ｉ／Ｆ３０４に供給される。通信音声入出力Ｉ／Ｆ３０４は、ハンドセット３０６からの音声データをデジタル信号に変換するなどの処理を行って、これをパケット処理部３０３に供給する。パケット処理部３０３は、通信音声入出力Ｉ／Ｆ３０４からの音声データを含む相手先への送信用のパケットを形成し、これをＬＡＮＩ／Ｆ３０２、ＬＡＮ接続端子３０１を通じてＬＡＮ２に送出し、通信の相手先に送信する。このようにして、ＩＰ電話端末３は、自機への着信に応答し、発呼先との間で通信路を生成して通話を行うことができる。
【００６１】
［発呼時の動作］
次に、当該ＩＰ電話端末３から電話をかける場合（発信（発呼）する場合）の処理について説明する。ＩＰ電話端末３から発信する場合には、まず、ハンドセット３０６をＩＰ電話端末３の本体から持ち上げて、ＩＰ電話端末３をオフフック状態にし、操作入力部３１１を通じて通信の相手先の電話番号、あるいは、内線番号を入力する。ここで入力された情報は、操作入力Ｉ／Ｆ３１２を通じて制御部３２０に供給される。
【００６２】
すると、制御部３２０は、発呼メッセージを形成し、これをパケット処理部３０３に供給する。パケット処理部３０３は、自機からの発呼メッセージをパケット化し、これをＬＡＮＩ／Ｆ３０２、ＬＡＮ接続端子３０１を通じてＬＡＮ２に送出し、目的とする通信の相手先に送信するようにする。
【００６３】
この後、目的とする相手先からの応答が返信されてきた場合に通信路を生成する。これにより、ＬＡＮ接続端子３０１、ＬＡＮＩ／Ｆ３０２、パケット処理部３０３、通信音声入出力Ｉ／Ｆ３０４、ハンドセット接続端子３０５、ハンドセット３０６からなる通話系の機能により通話を行うことができるようにされる。このように、ＩＰ電話端末３は、自機から目的とする端末に発信して、相手先との間に通信回線を接続して通話を行うこともできる。
【００６４】
なお、ＩＰ電話端末３は、図４には図示しないが、ＥＥＰＲＯＭやフラッシュメモリーなどの不揮発性メモリを備え、これによく電話を掛けたり、電話が掛かってきたりする相手先の電話番号や名前を電話帳データとして登録しておくこともできるようにされている。これにより、当該メモリに登録されている電話帳データから目的とする相手先の電話帳データを選択することにより、当該電話帳データの電話番号を用いて、電話をかけることもできるようにされる。すなわち、携帯電話端末の場合と同様に、電話番号をいちいち入力することなく、登録済みの電話帳データを用いて電話を掛けることもできるようにされる。また、当該電話帳データを用いて、自機への着信時に通知される発信元の電話番号に基づいて、発信元の名前を特定して表示するなどのこともできるようにされる。
【００６５】
また、図４において、パケット処理部３０３は、独立した回路部分として示しているが、これに限るものではない。パケット処理部３０３は、制御部３２０において実行されるプログラムにより、制御部３２０の機能として実現することももちろん可能である。
【００６６】
［ドック装置４の構成例］
次に、この実施の形態の電話システムで用いられるドック装置４の構成について説明する。図５は、この実施の形態の電話システムのドック装置４の構成例を説明するためのブロック図である。
【００６７】
この実施の形態のドック装置４は、図５に示すように、ＬＡＮ接続端子４０１、ＬＡＮＩ／Ｆ４０２、外部端子４１１、外部インターフェース（以下、外部Ｉ／Ｆと略称する。）４１２、充電電流供給部４１３、ＡＣコンセント４１４、呼び出しメッセージ生成部４２１、中継処理部４２２、制御部４３０を備えている。制御部４３０は、この実施の形態のドック装置４の各部を制御するものであり、ＣＰＵ４３１、ＲＯＭ４３２、ＲＡＭ４３３が、ＣＰＵバス４３４を通じて接続されて構成されたマイクロコンピュータである。
【００６８】
ここで、ＣＰＵ４３１は、ＲＯＭ４３２に記憶保持されているプログラムを読み出して実行し、各部に供給する制御信号を形成してこれを各部に供給したり、また、各部から供給されるデータを処理したりするものである。ＲＯＭ４３２は、上述のように、ＣＰＵ４３１で実行される種々のプログラムや処理に必要になる各種のデータが記憶保持されたものである。また、ＲＡＭ４３３は、処理の途中結果を一時記憶するなど、主に作業領域として用いられるものである。
【００６９】
ＬＡＮ接続端子４０１は、ＬＡＮ２への接続端部を構成するものである。ＬＡＮＩ／Ｆ４０２は、ＬＡＮ２を通じて供給されるパケットを受け付けて、これを自機において処理可能な形式のパケットに変換して制御部４３０に供給する。また、ＬＡＮＩ／Ｆ４０２は、制御部４３０を通じて供給される送信すべきパケットを送信用の形式のパケットに変換して、これをＬＡＮ２に送出する。
【００７０】
外部端子４１１は、外部機器である携帯電話端末５との接続端部を構成するものであり、データ端子と充電端子とを有するものである。このため、図５に示したように、外部端子４１１には、外部Ｉ／Ｆ４１２と、充電電流供給部４１３とが接続されている。外部端子４１１に携帯電話端末５などの外部機器が接続されると、外部Ｉ／Ｆ４１２は、当該携帯電話端末５との間で接続時の信号のやり取りをすることにより、携帯電話端末５が接続されたことを検知し、制御部４３０に通知する。これにより、制御部４３０は、外部端子４１１を通じて自機に携帯電話端末５が接続されたことを認識することができる。
【００７１】
また、外部Ｉ／Ｆ４１２は、外部端子４１１を通じて供給される携帯電話端末５からのデータを受け付けて、これを自機において処理可能な形式のデータに変換して制御部４３０に供給する。また、外部Ｉ／Ｆ４１２は、外部端子４１１に接続された携帯電話端末５に供給する制御部４３０からのデータを出力用の所定の形式のデータに変換して、これを外部端子４１１を通じて出力する。
【００７２】
充電電流供給部４１３は、ＡＣコンセント４１４から送られてくる商用交流電圧から直流の充電電流を生成する。そして、充電電流供給部４１３は、外部Ｉ／Ｆ４１２からの携帯電話端末５がドック装置４に接続されたことの検知通知に基づく制御部４３０の制御により駆動状態に制御されて、充電電流を、外部端子を通じて携帯電話端末５に供給するようにする。
【００７３】
そして、詳しくは後述もするが、ドック装置４を通じて携帯電話端末５がＳＩＰサーバ１に接続された状態にあるときに、当該携帯電話端末５に携帯電話網を通じて着信があると、発信元情報を含む着信情報が携帯電話端末５からドック装置４に提供される。この場合に、ドック装置４の呼び出しメッセージ生成部４２１は、携帯電話端末５から着信情報に含まれる発信元情報をディスプレイネイムに挿入したＩＮＶＩＴＥメッセージを形成し、これをＳＩＰサーバ１に提供するようにする。ＳＩＰサーバ１は、上述もしたように、当該ＩＮＶＡＩＴＥメッセージに応じて配下のＩＰ電話端末３に対して携帯電話端末５に対する着信を通知することができるようにされる。
【００７４】
そして、ドック装置４の中継処理部４２２は、ＬＡＮ接続端子４０１及びＬＡＮＩ／Ｆ４０２を通じて提供を受けたＳＩＰサーバ１からのメッセージや音声データ等を、携帯電話端末５に供給する形式のものに変換する。中継処理部４２２で変換された携帯電話端末５用のメッセージやデータは、外部Ｉ／Ｆ４１２及び外部端子４１１を通じて携帯電話端末５に供給される。また、中継処理部４２２は、外部端子４１１及び外部Ｉ／Ｆ４１２を通じて提供を受けた携帯電話端末５からの情報や音声データ等を、ＳＩＰサーバ１に供給する形式のものに変換する。中継処理部４２２で変換されたＳＩＰサーバ１用の情報やデータは、ＬＡＮＩ／Ｆ４０２及びＬＡＮ接続端子４０１を通じてＬＡＮ２に送出され、ＳＩＰサーバ１に提供される。
【００７５】
このように、ドック装置４は、携帯電話端末５をＳＩＰサーバ１に対して接続し、携帯電話端末５に対する着信に対して、ＳＩＰサーバ１の配下のＩＰ電話端末３で応答し、当該ＩＰ電話端末３を通じて、携帯電話端末５への発信元との間で通話を可能にする。また、同時に、ドック装置４は携帯電話端末５への充電を行うことができるものである。
【００７６】
なお、この実施の形態において、ドック装置４の外部端子４１１、外部Ｉ／Ｆ４１２、充電電流供給部４１３からなる部分は、ＵＳＢ（Universal Serial Bus）規格に準拠したものである。すなわち、この実施の形態において、ドック装置４の外部端子４１１はＵＳＢ端子である。また、図５において、二重線で示した呼び出しメッセージ生成部４２１と中継処理部４２２とは、それぞれ独立した回路部分として示しているが、制御部４３０において実行されるプログラムにより、制御部４３０の機能として実現することももちろん可能である。
【００７７】
［携帯電話端末５の構成例］
次に、この実施の形態の電話システムで用いられる携帯電話端末５の構成について説明する。図６は、この実施の形態の電話システムの携帯電話端末５の構成例を説明するためのブロック図である。
【００７８】
図６に示すように、この実施の形態の携帯電話端末５は、無線通信処理系として、送受信アンテナ５０１、電話通信部５０２、送受信信号処理部５０３、通話音声処理部５０４を備えている。通話音声処理部５０４には、受話アンプ５０５を通じて受話器（スピーカ）５０６が接続され、また、送話器（マイクロホン）５０７が、送話アンプ５０８を通じて接続されている。
【００７９】
また、携帯電話端末５は、上述したドック装置４に接続され、自機に着信があった場合において主に機能する部分として、発信元情報取得部５１１、着信情報生成部５１２、中継処理部５１３を備えている。また、携帯電話端末５は、多数の電話帳データが記録される電話帳ＤＢ５１４を備えている。
【００８０】
また、携帯電話端末５は、ユーザインターフェースを構成する部分として、操作入力部５２１、操作入力Ｉ／Ｆ５２２、ディスプレイコントローラ５２３、ディスプレイ５２４、リンガ５２５を備えている。なお、図示しないが、携帯電話端末５には、着信などを通知するためのバイブレータなども設けられている。さらに、携帯電話端末５は、外部端子５３１、外部Ｉ／Ｆ５３２、充電回路５３３、バッテリ５３４を備えると共に、携帯電話端末５の各部を制御する制御部５４０を備えている。
【００８１】
制御部５４０は、ＣＰＵ５４１、ＲＯＭ５４２、ＲＡＭ５４３、ＥＥＰＲＯＭ５４４が、ＣＰＵバス５４５を通じて接続されて形成されたマイクロコンピュータである。ここで、ＣＰＵ５４１は、ＲＯＭ５４２に記憶されているプログラムを読み出して実行し、各部に供給する制御信号を形成して、これを各部に供給したり、各部から送信されてくるデータを受け付けて、これに応じた処理を実行したりする。ＲＯＭ５４２は、ＣＰＵ５４１において実行されるプログラムや処理に必要になる種々のデータが予め記録されたものである。
【００８２】
また、ＲＡＭ５４３は、処理の途中結果を一時記憶するなど、主に作業領域として用いられるものである。また、ＥＥＰＲＯＭ５４４は、いわゆる不揮発性メモリであり、携帯電話端末５の電源を落としても保持しておくべきデータ等が記憶保持される。ＥＥＰＲＯＭ５４４には、例えば、種々の設定パラメータ、アプリケーションプログラムや機能アップのための追加プログラムなどが記憶保持される。
【００８３】
送受信アンテナ５０１は、携帯電話網との間でデータを送受する端部である。電話通信部５０２は、携帯電話網の基地局を通じて相手と通信をするためのものである。送受信信号処理部５０３は、制御部５４０の制御の下、電話通信部５０２を通じて受信した通信情報を解析して、呼制御メッセージや通話信号をデコードし、制御部５４０に供給すると共に、電話通信部５０２を通じて送信する送信信号を生成する。
【００８４】
通話音声処理部５０４は、制御部５４０の制御の下、送受信信号処理部５０３からの受話音声情報を、デジタル信号からアナログ信号に変換し、受話アンプ５０５に供給する。受話アンプ５０５に供給された受話音声信号は、ここで増幅された後に受話器５０６に供給されて音響再生される。通話音声処理部５０４は、また、送話器５０７で収音され、送話アンプ５０８で増幅された送話音声信号を、アナログ信号からデジタル信号に変換して、制御部５４０の制御の下、送受信信号処理部５０３に供給する。そして、上述したように、送受信信号処理部５０３は、通話音声処理部５０４からのデジタル化された送話音声信号から送信する送信信号を生成し、これを電話通信部５０２に供給して送信するようにする。
【００８５】
操作入力部５２１は、数字キー、オフフックキー、オンフックキー、その他の各種のファンクションキー等が設けられ、ユーザからの操作入力を受け付ける部分である。操作入力部５２１を通じて受け付けられたユーザからの操作入力は、操作入力Ｉ／Ｆ５２２において電気信号に変換されて、制御部５４０に通知される。これにより、制御部５４０が操作入力Ｉ／Ｆ５２２からの信号に応じて各部を制御することにより、ユーザの指示に応じて処理を行うことができるようにされる。
【００８６】
ディスプレイコントローラ５２３は、制御部５４０の制御に応じてディスプレイ５２４に情報を表示するための表示用信号を形成し、これをディスプレイ５２４に供給する。これによりディスプレイ５２４には、種々の情報が表示される。例えば、着信時においては、発信元の電話番号や名前、発信時においては、後述する電話帳ＤＢ５１４に登録されている電話帳データ等が表示される。この他、待ち受け時においては、所定の待ち受け画面をディスプレイ５２４に表示したり、各種のエラーメッセージやガイダンスメッセージなども表示したりすることもできるようにされる。
【００８７】
外部端子５３１は、外部機器であるドック装置４との接続端部を構成するものであり、データ端子と充電端子とを有するものである。このため、図６に示したように、外部端子５３１には、外部Ｉ／Ｆ５３２と、充電回路５３３とが接続されている。
【００８８】
外部Ｉ／Ｆ５３２は、外部端子５３１を通じて接続されたドック装置４との間でデータを送受するためのものである。外部端子５３１にドック装置４が接続されると、外部Ｉ／Ｆ５３２は、当該ドック装置４との間で接続時の信号のやり取りをすることにより、ドック装置４に接続されたことを検知し、制御部５４０に通知する。これにより、制御部５４０は、外部端子５３１を通じて自機がドック装置４に接続されたことを認識することができる。
【００８９】
また、外部Ｉ／Ｆ５３２は、外部端子５３１を通じて供給されるドック装置４からのデータを受け付けて、これを自機において処理可能な形式のデータに変換して制御部５４０に供給する。また、外部Ｉ／Ｆ５３２は、外部端子５３１に接続されたドック装置４に供給する制御部５４０からのデータを出力用の所定の形式のデータに変換して、これを外部端子５３１を通じて出力する。
【００９０】
充電回路５３３は、外部端子５３１の充電端子を通じてドック装置４から送られてくる充電電流からバッテリに供給する電流を生成する。そして、充電回路５３３は、外部Ｉ／Ｆ５３２からのドック装置４に接続されたことの検知通知に基づく制御部５４０の制御により駆動状態に制御されて、充電用に生成した電流をバッテリ５３４に供給する。これにより携帯電話端末５のバッテリ５３４の充電が行われる。
【００９１】
なお、この実施の形態において、携帯電話端末５の外部端子５３１、外部Ｉ／Ｆ５３２、充電回路５３３からなる部分は、ＵＳＢ（Universal Serial Bus）規格に準拠したものである。すなわち、この実施の形態において、携帯電話端末５の外部端子５３１はＵＳＢ端子である。
【００９２】
そして、この実施の形態の携帯電話端末５は、外部端子５３１を通じてドック装置４に接続され、これが上述したように、外部Ｉ／Ｆ５３２からのドック装置４に接続されたことが制御部５４０に通知されると、制御部５４０は、自機をこの実施の形態の電話システムのいわゆるゲートウェイ装置として機能させるようにする。すなわち、携帯電話網（いわゆる３Ｇ網）を通じての携帯電話端末５への着信は、ドック装置４を通じてＳＩＰサーバ１に通知し、ＳＩＰサーバ１の配下のＩＰ電話端末３を通じて当該着信に応答し、通話を行えるようにする。
【００９３】
この場合、発信元情報取得部５１１、着信情報生成部５１２、中継処理部５１３が、制御部５４０の制御の下、ゲートウェイ装置としての機能を実現する。すなわち、携帯電話端末５が外部端子５３１を通じてドック装置４に接続されているときに、携帯電話網を通じて携帯電話端末５に着信があったとする。この場合、制御部５４０は、まず、発信元情報取得部５１１を制御し、当該着信通知（着信メッセージ）により通知される発信元の電話番号に基づいて、電話帳ＤＢ５１４に登録されている電話帳データを参照し、発信元情報を取得する。
【００９４】
電話帳ＤＢ５１４には、よく電話をかけたり、よく電話がかかってきたりする相手先の電話番号、名前、電子メールアドレス、住所、会社名といった種々の情報からなる電話帳データが多数記録されているものである。そして、上述した発信元情報は、少なくとも、発信元の電話番号と氏名とを含むものである。なお、発信元の電話番号に対応する電話帳データが電話帳ＤＢ５１４に登録されていなかったときには、発信元情報は取得できず、該当データはなかったもの（例えば空白）とされる。
【００９５】
次に、制御部５４０は、着信情報生成部５１２を制御し、発信元情報取得部５１１により取得された発信元情報を含み、携帯電話端末５に着信があることを通知する着信情報を形成する。ここで形成された着信情報は、制御部５４０を通じて外部Ｉ／Ｆ５３２に供給され、出力用の着信情報に変換されて、外部端子５３１を通じて出力され、ドック装置４に供給される。そして、当該着信情報は、上述したように、ドック装置４においてＳＩＰ対応のＩＮＶＩＴＥ（呼び出し）メッセージに変換されて、ＳＩＰサーバ１に供給され、配下のＩＰ電話端末３に提供するようにされる。
【００９６】
そして、ＳＩＰサーバ１の配下のＩＰ電話端末３が、携帯電話端末５への当該着信に対して応答したときには、これがＳＩＰサーバ１及びドック装置４を通じて当該携帯電話端末５に応答指示が提供される。携帯電話端末５の制御部５４０は、これを外部端子５３１及び外部Ｉ／Ｆを通じて受け付けて、送受信信号処理部５０３及び電話通信部５０２を制御して、応答メッセージを返信し、発信元との間に通信路を接続する。
【００９７】
この後、制御部５４０は、中継処理部５１３を制御し、応答元のＩＰ電話端末３と発信元との通話を、ＳＩＰサーバ１、ドック装置４、携帯電話端末５を通じて行えるようにする。すなわち、携帯電話端末５の中継処理部５１３は、送受信アンテナ５０１、電話通信部５０２、送受信信号処理部５０３を通じて受信してデコードした発信元からの音声データをドック装置４に供給する形式の信号に変換する。中継処理部５１３で変換されたドック装置４用の音声データは、外部Ｉ／Ｆ５３２及び外部端子５３１を通じてドック装置４に供給される。そして、ドック装置４に供給された発信元からの音声データは、上述したように、当該ドック装置４を通じてＳＩＰサーバ１に供給され、ＳＩＰサーバ１から応答操作が行われた配下のＩＰ電話端末３に提供される。
【００９８】
また、中継処理部４２２は、外部端子５３１及び外部Ｉ／Ｆ５３２を通じて提供を受けたドック装置４からの応答元のＩＰ電話端末３からの音声データを、携帯電話網に送出する形式のものに変換する。中継処理部５１３で変換された携帯電話網送出用の音声データは、送受信信号処理部５０３で処理された後、制御部５４０、電話通信部５０２、送受信アンテナ５０１を通じて携帯電話網に送出され、発信元（通話の相手先）に送信される。
【００９９】
このように、この実施の形態の携帯電話端末５は、ドック装置４に接続されることにより、ＳＩＰサーバ１に対して接続するようにされているときには、この実施の形態の電話システムのゲートウェイ装置として機能する。そして、携帯電話端末５に対する携帯電話網からの着信に対して、ＳＩＰサーバ１の配下のＩＰ電話端末３を通じて応答し、発信元との間において、当該ＩＰ電話端末３を通じて通話することができるようにされる。
【０１００】
そして、ＳＩＰサーバ１の配下のＩＰ電話端末３は、携帯電話端末５の電話帳ＤＢ５１４に登録されている電話帳データに対応するデータを備えていなくても、発信元情報は携帯電話端末５から提供される。したがって、ＩＰ電話端末３は、携帯電話端末５の電話帳ＤＢ５１４の電話帳データを必要な範囲で（着信通知を行う場合において）、利用することができるようにされる。
【０１０１】
なお、この実施の形態において、携帯電話端末５の外部端子５３１、外部Ｉ／Ｆ５３２、充電回路５３３からなる部分は、ＵＳＢ（Universal Serial Bus）規格に準拠したものである。すなわち、この実施の形態において、携帯電話端末５の外部端子５３１はＵＳＢ端子である。また、図６において、二重線で示した発信元情報取得部５１１と着信情報生成部５１２と中継処理部５１３とは、それぞれ独立した回路部分として示しているが、これに限るものではない。発信元情報取得部５１１、着信情報生成部５１２、中継処理部５１３のそれぞれは、制御部５４０において実行されるプログラムにより、制御部５４０の機能として実現することももちろん可能である。
【０１０２】
［電話システムの動作］
次に、携帯電話端末５がドック装置４を通じてＳＩＰサーバ１に接続された状態にあるときに、当該携帯電話端末５に対して携帯電話網（３Ｇ回線）を通じて着信があったときの、この実施の形態の電話システムの動作について具体的に説明する。図７は、この実施の形態の電話システムの動作を説明するためのシーケンス図である。
【０１０３】
図７において最下段に示したように、携帯電話端末５は、携帯電話網（図７では３Ｇ回線と記載）に対して接続するようにされている。そして、携帯電話端末５とドック装置４とは、上述もしたように、ＵＳＢ端子を通じてＵＳＢケーブルによって接続される。そして、ＳＩＰサーバ１と、ＩＰ電話端末３（１）、３（２）、…と、ドック装置４（１）、４（２）、…とは、図１を用いて説明したように、ＬＡＮ２を通じて、すなわち、ＬＡＮケーブルを通じて接続される。
【０１０４】
そして、図７において、右上端部に示すように、携帯電話端末５に対して携帯電話網（３Ｇ回線）を通じて着信が発生したとする。この場合、携帯電話端末５は当該着信を受け付け、外部端子５３１を通じて接続されたドック装置４に対して着信情報を通知する。すなわち、上述もしたように、携帯電話端末５は、着信通知に含まれる発信元の電話番号に基づいて、電話帳ＤＢ５１４から発信元の電話番号と名前などからなる発信元情報を取得し、当該発信元情報を含む着信情報を形成して、これをドック装置４に対して提供する。
【０１０５】
ドック装置４は、自機に接続された携帯電話端末５から着信情報を受け付けると、着信イベントが発生したことを認識する。この場合、ドック装置４は、上述したように、受信した携帯電話端末５からの着信情報に含まれる発信元情報をディスプレイネイムに挿入したＩＮＶＩＴＥ（呼び出し）メッセージを形成し、これをＬＡＮ２を通じてＳＩＰサーバ１に送信する。
【０１０６】
ＳＩＰサーバ１は、ドック装置４からのＩＮＶＩＴＥメッセージを受信すると、これを配下のＩＰ電話端末３（１）、３（２）、…に送信する。この場合、配下のＩＰ電話端末３（１）、３（２）、…のそれぞれは、ＩＮＶＩＴＥメッセージに応じて呼び出し音を放音する呼び出し処理を実行し、呼び出し中（１８０  ＲＩＮＧＩＮＧ）メッセージをＳＩＰサーバ１に対して返信する。ＳＩＰサーバ１は、配下のＩＰ電話端末３（１）、３（２）、…からの呼び出し中メッセージを受信すると、これを着信を受け付けた携帯電話端末５が接続されているドック装置４に対して送信する。
【０１０７】
これにより、当該ドック装置４は、自機に接続された携帯電話端末５への着信に対する呼び出しが、ＳＩＰサーバ１の配下のＩＰ電話端末３（１）、３（２）、…において行われていることを把握することができる。この場合、ドック装置４は、呼び出し中であることを示す現在の電話状態表示指示を自機に接続された携帯電話端末５に対して送信する。当該電話状態表示指示を受け付けた携帯電話端末５では、着信鳴動を開始させるなど、電話状態表示を更新する。
【０１０８】
この後、この例においては、図７に示すように、ＩＰ電話端末３（１）において、当該携帯電話端末５に発生した着信に対して応答操作が行われたとする。この場合、ＩＰ電話端末３（１）は、着信音の放音を停止させ、ＩＮＶＩＴＥメッセージに対して応答したことを示すメッセージ（２００  ＯＫ）をＳＩＰサーバ１に対して送信する。これによって、ＳＩＰサーバ１においては、配下のＩＰ電話端末３（１）において応答操作が行われたことを把握することができる。
【０１０９】
そして、ＳＩＰサーバ１は、まず、ＩＰ電話端末３（１）から着信に対する応答があったことを、着信が発生した携帯電話端末５が接続されているドック装置４に対して送信する。また、ＳＩＰサーバ１は、着信応答を送信してきたＩＰ電話端末３（１）以外のＩＰ電話端末３（２）、…等に対しては、呼び出しを停止させるためのキャンセル（ＣＡＮＣＥＬ）メッセージを送信する。これにより、キャンセルメッセージの提供を受けたＩＰ電話端末３（２）、…等では、着信音の放音を停止させると共に、キャンセルメッセージに対する応答（２００  ＯＫ）をＳＩＰサーバ１に送信する。
【０１１０】
一方、ドック装置４は、ＳＩＰサーバ１からの上述した通知により、自機に接続された携帯電話端末５への着信に対する応答が、ＩＰ電話端末３（１）において行われたことを把握することができる。この場合、ドック装置４は、着信応答があったことを示す現在の電話状態表示指示を自機に接続された携帯電話端末５に対して行う。これに応じて、当該電話状態表示指示を受け付けた携帯電話端末５では、着信音の放音を停止させ、通話を開始させるための準備動作を開始し、通話時間の表示を開始するなどの処理を行う。
【０１１１】
次に、ドック装置４は、自機に接続された携帯電話端末５に対して、応答指示を行う。これにより、当該携帯電話端末５は、応答処理を実行し、着信応答を形成して発信元に送信することにより、当該発信元との間に通信路を接続する。これにより、着信に対する応答を行ったＩＰ電話端末３（１）と発信元との間に通信路が接続される。この場合、ＩＰ電話端末３（１）と発信元との間には、図７に示すように、ＳＩＰサーバ１、ドック装置４、携帯電話端末５を通じて通信路が接続されることになる。
【０１１２】
このように、この実施の形態の電話システムにおいては、ドック装置４を通じてＳＩＰサーバ１に接続された携帯電話端末５に対して、携帯電話網を通じた着信があると、ＳＩＰサーバ１の配下のＩＰ電話端末３を通じて応答して、通話を行うことができるようにされる。そして、ＩＰ電話端末３に発信元の電話帳データが存在していなくても、着信元の携帯電話端末５の電話帳ＤＢ５１４の電話帳データを使用することができる。すなわち、ＳＩＰサーバ１の配下のＩＰ電話端末３は、着信時においてのみ、携帯電話端末５が保持する電話帳データを使用することができるようにされる。
【０１１３】
［携帯電話端末５の処理］
次に、この実施の形態の電話システムで用いられる携帯電話端末５において行われる処理について説明する。図８は、この実施の形態の携帯電話端末５において行われる処理について説明するためのフローチャートである。この図８に示す処理は、電源が投入された携帯電話端末５において、主に制御部５４０において実行される処理である。
【０１１４】
携帯電話端末５の制御部５４０は、所定のタイミング毎に、送受信アンテナ５０１及び電話通信部５０２により受信する近隣の基地局からの信号に基づいて、自機に着信があるか否かを監視している（ステップＳ１０１）。ステップＳ１０１の判別処理において、自機に着信はないと判別したときには、制御部５４０は、操作入力部５２１及び操作入力Ｉ／Ｆ５２２を通じて発信を行うようにする操作を受け付けたか否かを判別する（ステップＳ１０２）。
【０１１５】
ステップＳ１０２の判別処理において、発信を行うようにする操作は受け付けていないと判別したときには、制御部５４０は、ステップＳ１０１からの処理を繰り返す。また、ステップＳ１０２の判別処理において、発信を行うようにする操作を受け付けたと判別したときには、目的とする相手先に対して発信を行って通話を行うようにする発信処理を実行する（ステップＳ１０３）。そして、通話が終了するなどしてオンフックするようにされると、制御部５４０は、ステップＳ１０３の一連の発信処理を終了して、ステップＳ１０１からの処理を繰り返すようにする。
【０１１６】
また、ステップＳ１０１の判別処理において、自機に着信があると判別したときには、制御部５４０は、外部端子５３１を通じてドック装置４に接続されているか否かを判別する（ステップＳ１０４）。上述もしたように、外部端子５３１を通じてドック装置４に接続されると、制御部５４０は、外部端子５３１及び外部Ｉ／Ｆ５３２を通じてドック装置４と信号のやり取りを行う。したがって、制御部５４０は、自機がドック装置４に接続されているか否かを適切に把握することができる。
【０１１７】
そして、ステップＳ１０４の判別処理において、外部端子５３１を通じてドック装置４に接続されていないと判別したときには、通常の着信処理を行って、発信元との間で通話を行えるようにする（ステップＳ１０５）。具体的に、ステップＳ１０５の処理は、着信音を放音したり、バイブレータを振動させたり、発信元の氏名をディスプレイ５２４に表示したりし、ユーザがオフフック操作を行った場合には、携帯電話網を通じて通信路を接続して通話を行うようにする。そして、通話が終了するなどしてオンフックするようにされると、制御部５４０は、ステップＳ１０５の一連の着信処理を終了して、ステップＳ１０１からの処理を繰り返すようにする。
【０１１８】
また、ステップＳ１０４の判別処理において、外部端子５３１を通じてドック装置４に接続されていると判別したときには、制御部５４０は、着信情報を生成し、これを外部端子５３１を通じてドック装置４に対して通知（送信）する処理を行なう（ステップＳ１０６）。すなわち、ステップＳ１０６においては、まず、制御部５４０が発信元情報取得部５１１を制御して、着信通知に含まれる発信元の電話番号に基づき、電話帳ＤＢ５１４から発信元の名前などの必要な情報を抽出して電話番号や名前からなる発信元情報を形成する。さらに、ステップＳ１０６においては、制御部５４０が着信情報生成部５１２を制御して、発信元情報取得部５１１が取得した発信元情報を含む着信情報を形成し、これを外部Ｉ／Ｆ５３２及び外部端子５３１を通じてドック装置４に通知する。
【０１１９】
この後、制御部５４０は、外部端子５３１及び外部Ｉ／Ｆ５３２を通じて、ドック装置４からの指示情報を受信したか否かを判別する（ステップＳ１０７）。ステップＳ１０７の判別処理において、指示情報を受信していないと判別したときには、携帯電話網を通じての自機宛ての着信は継続しているか否かを判別する（ステップＳ１０８）。ステップＳ１０８の判別処理において、自機宛ての当該着信が継続していると判別したときには、ステップＳ１０７からの処理を繰り返す。また、ステップＳ１０８の判別処理において、発信元がオンフックするなどしたために、自機への着信は継続していない（終了した）と判別したときには、例えば、着信が終了したことをドック装置４に通知するなどの所定の終了処理を実行し（ステップＳ１０９）、ステップＳ１０１からの処理を繰り返すようにする。
【０１２０】
また、ステップＳ１０７の判別処理において、ドック装置４からの指示情報がある（受信した）と判別したときには、制御部５４０は、当該指示情報は、応答指示か否かを判別する（ステップＳ１１０）。ステップＳ１１０の判別処理において、応答指示ではないと判別したときには、制御部５４０は、当該指示に応じた処理を実行し（ステップＳ１１１）、ステップＳ１０７からの処理を繰り返すようにする。すなわち、ステップＳ１１１では、ドック装置４からの指示が、例えば、上述もした電話状態表示指示である場合には、当該指示に応じて、着信音を放音したり、停止したり、通話を開始するための処理を行ったりするなどのことが行われる。
【０１２１】
また、ステップＳ１１０の判別処理において、ドック装置からの指示情報は応答指示であると判別したときには、制御部５４０は、応答処理を実行する（ステップＳ１１２）。具体的に、ステップＳ１１２において、制御部５４０は、まず着信応答を形成し、これを送受信信号処理部５０３と電話通信部５０２と送受信アンテナ５０１を通じて発信元に送信して、通信路を接続し、通話を行えるようにする。この後、制御部５４０は、中継処理部５１３を制御し、自機を通話状態にする（ステップＳ１１３）。
【０１２２】
通話状態にされると、電話通信部５０２及び送受信信号処理部５０３を通じて受信した発信元からの音声データが、中継処理部５１３に供給され、ここでドック装置４に送信する形式の音声データに変換される。この変換された発信元からの音声データが、外部Ｉ／Ｆ５３２及び外部端子５３１を通じてドック装置４に送信され、ドック装置４、ＳＩＰサーバ１を通じて応答元のＩＰ電話端末３（１）に送信するようにされる。また、外部端子５３１及び外部Ｉ／Ｆ５３２を通じて受信したＩＰ電話端末３（１）からの音声データが、中継処理部５１３に供給され、ここで携帯電話網を通じて発信元に送信する形式の音声データに変換される。この変換されたＩＰ電話端末３（１）からの音声データが、送受信信号処理部５０３及び電話通信部５０２を通じて携帯電話網に送出され、発信元に対して送信される。
【０１２３】
この後、制御部５４０は、発信元とＩＰ電話端末３（１）との間の通話が終了したか否かを判別し（ステップＳ１１４）、終了していないと判別したときには、ステップＳ１１４の判別処理を繰り返す。また、ステップＳ１１４の判別処理において、ＩＰ電話端末３（１）と発信元とのいずれかがオンフック操作するなどしたため、通話が終了したと判別したときには、制御部５４０は、通信回線を解放するなどの所定の終了処理を行って（ステップＳ１１５）、ステップＳ１０１からの処理を繰り返すようにする。
【０１２４】
このように、この実施の形態の携帯電話端末５は、ドック装置４を通じてＳＩＰサーバ１に接続されていない状態にあるときには、通常の携帯電話端末として機能し、自機から発信したり、自機への着信に応答したりすることができる。そして、この実施の形態の携帯電話端末５は、ドック装置４を通じてＳＩＰサーバ１に対して接続されると、電話システムのいわゆるゲートウェイ装置として機能し、自機への着信を、この実施の形態の電話システムへの着信として処理するようにする。
【０１２５】
［ドック装置４の処理］
次に、この実施の形態の電話システムで用いられるドック装置４において行われる処理について説明する。図９は、この実施の形態のドック装置４において行われる処理を説明するためのフローチャートであり、外部端子４１１を通じて携帯電話端末５が接続されている場合に行われる処理を説明するためのものである。この図９に示す処理は、ドック装置４の主に制御部４３０において実行される処理である。
【０１２６】
外部端子４１１を通じて、自機に携帯電話端末５が接続されている状態にあるときには、制御部４３０は、外部端子４１１及び外部Ｉ／Ｆ４１２を通じて携帯電話端末５からの着信情報を受信したか否かを監視している（ステップＳ２０１）。ステップＳ２０１の判別処理において、自機に外部端子４１１を通じて接続されている携帯電話端末５からの着信情報を受信していないと判別したときには、ステップＳ２０１からの処理を繰り返すようにする。
【０１２７】
ステップＳ２０１の判別処理において、自機に外部端子４１１を通じて接続されている携帯電話端末５からの着信情報を受信したと判別したときには、制御部４３０は、呼び出しメッセージを形成して、これをＳＩＰサーバ１に通知（送信）する（ステップＳ２０２）。すなわち、ステップＳ２０２では、制御部４３０が呼び出しメッセージ生成部４２１を制御して、ディスプレイネイムに携帯電話端末５からの着信情報の発信元情報を挿入したＩＮＶＩＴＥメッセージを形成する。そして、制御部４３０は、当該ＩＮＶＩＴＥメッセージを、ＬＡＮＩ／Ｆ４０２及びＬＡＮ接続端子４０１を通じてＬＡＮ２に送出し、ＳＩＰサーバ１に送信する。
【０１２８】
そして、制御部４３０は、自機に接続された携帯電話端末５への着信は継続しているか否かを判別する（ステップＳ２０３）。ステップＳ２０３の判別処理において、携帯電話端末５への着信が継続していない（着信は終了した）と判別したときには、例えば、着信が終了したことをＳＩＰサーバ１に通知するなどの所定の終了処理を実行する（ステップＳ２０４）。この後、制御部４３０は、ステップＳ２０１からの処理を繰り返すようにする。
【０１２９】
また、ステップＳ２０３の判別処理において、携帯電話端末５への当該着信が継続していると判別したときには、制御部４３０は、ＬＡＮ接続端子４０１及びＬＡＮＩ／Ｆ４０２を通じて、ＳＩＰサーバ１からの通知を受信したか否かを判別する（ステップＳ２０５）。ステップＳ２０５の判別処理において、ＳＩＰサーバ１からの通知を受信していないと判別したときには、制御部４３０は、ステップＳ２０３からの処理を繰り返すようにする。
【０１３０】
ステップＳ２０５の判別処理において、ＳＩＰサーバ１からの通知を受信したと判別したときには、制御部４３０は、受信した通知は、いずれかのＩＰ電話端末３に対して応答操作が行われたことによる応答通知か否かを判別する（ステップＳ２０６）。ステップＳ２０６の判別処理において、ＳＩＰサーバからの通知は応答通知ではないと判別したときには、制御部４３０は、受信したＳＩＰサーバ１からの通知に応じた処理を実行し（ステップＳ２０７）、ステップＳ２０３からの処理を繰り返す。なお、ステップＳ２０７においては、図７を用いて説明したように、呼び出し中を通知し、携帯電話端末５の状態表示の変更を指示する処理などが行われる。
【０１３１】
また、ステップＳ２０６の判別処理において、ＳＩＰサーバからの通知が応答通知であると判別したときには、制御部４３０は、外部Ｉ／Ｆ４１２及び外部端子４１１を通じて、携帯電話端末５に対して着信に応答を行うようにする処理を実行する（ステップＳ２０８）。具体的には、図７を用いて説明したように、まず、携帯電話端末５に対して発生している着信に対して応答があることを当該携帯電話端末５に通知して、状態表示を更新し、その後、着信に対する応答指示を携帯電話端末５に送信して、通信路を接続するようにする。
【０１３２】
この後、制御部４３０は、中継処理部４２２を制御し、自機を通話状態にする（ステップＳ２０９）。ステップＳ２０９において、通話状態にされると、外部端子４１１及び外部Ｉ／Ｆ４１２を通じて受信した携帯電話端末５を通じて提供される発信元からの音声データが、中継処理部５１３に供給され、ここでＳＩＰサーバ１に送信する形式の音声データに変換される。この変換された発信元からの音声データが、ＬＡＮＩ／Ｆ４０２及びＬＡＮ接続端子４０１を通じてＳＩＰサーバ１に送信され、ドック装置４、ＳＩＰサーバ１を通じて応答元のＩＰ電話端末３（１）に送信するようにされる。また、ＬＡＮ接続端子４０１及びＬＡＮＩ／Ｆ４０２を通じて受信したＩＰ電話端末３（１）からの音声データが、中継処理部５１３に供給され、ここで携帯電話端末５に送信する形式の音声データに変換される。この変換されたＩＰ電話端末３（１）からの音声データが、外部Ｉ／Ｆ４１２及び外部端子４１１を通じて携帯電話端末５に供給され、ドック装置４、携帯電話端末５を通じて応答元のＩＰ電話端末３（１）からの音声データが発信元に送信するようにされる。
【０１３３】
この後、制御部４３０は、発信元とＩＰ電話端末３（１）との間の通話が終了したか否かを判別し（ステップＳ２１０）、終了していないと判別したときには、ステップＳ２１０の判別処理を繰り返す。また、ステップＳ２１０の判別処理において、ＩＰ電話端末３（１）と発信元とのいずれかがオンフック操作するなどしたため、通話が終了したと判別したときには、制御部４３０は、通信回線を解放するなどの所定の終了処理を行って（ステップＳ２１１）、ステップＳ２０１からの処理を繰り返すようにする。
【０１３４】
このように、ドック装置１は、携帯電話端末５をＳＩＰサーバ１に対して接続すると共に、ＳＩＰサーバ１の配下のＩＰ電話端末３と、携帯電話端末５に対する着信の発信元との間の音声データの中継処理をも行うようにしている。また、上述したデータの送受信処理の他、ドック装置４は、自機に接続された携帯電話端末５に対して充電電流を供給し、携帯電話端末５のバッテリの充電を行う機能をも有している。
【０１３５】
［ＳＩＰサーバ１の処理］
なお、ＳＩＰサーバ１は、上述もしたように、通信路（通信回線）を接続する端末間のアドレス解決をするものである。このため、ドック装置４を通じて携帯電話端末５がＳＩＰサーバ１に対して接続するようにされている場合における当該ＳＩＰサーバ１においても、ＬＡＮ２を通じて送受されるドック装置４と配下のＩＰ電話端末３との間においてもアドレス解決を行って、通信路を接続し、通信を行えるようにする処理を行う。
【０１３６】
すなわち、ＳＩＰサーバ１の制御部１１０は、ＬＡＮ２を通じてドック装置３からの情報も受け付けるようにする。そして、ＳＩＰサーバ１の制御部１１０が、ＬＡＮ２を通じてドック装置４から当該ドック装置４に接続された携帯電話端末５に着信があることを示すＩＮＶＩＴＥメッセージを受け付けたとする。この場合、ＳＩＰサーバ１の制御部１１０は、携帯電話端末５からの発信元情報を含む当該ＩＮＶＩＴＥメッセージをＬＡＮＩ／Ｆ１０７及び接続端子１０８を通じてＬＡＮ２に送出し、配下のＩＰ電話端末３に対して提供する。
【０１３７】
そして、ＳＩＰサーバ１の制御部１１０は、当該ＩＮＶＩＴＥメッセージを送出後は、当該ＩＮＶＩＴＥメッセージに対する配下のＩＰ電話端末３からの応答を、ＬＡＮＩ／Ｆ１０７及び接続端子１０８を通じて受け付けるようにする。そして、ＳＩＰサーバ１の制御部１１０は、配下のＩＰ電話端末３から当該ＩＮＶＩＴＥメッセージに対する応答を受け付けたとする。この場合ＳＩＰサーバ１の制御部１１０は、応答指示を形成し、これをＬＡＮＩ／Ｆ１０７及び接続端子１０８を通じてＬＡＮ２に送出し、ドック装置４を通じて着信が発生している携帯電話端末５に送信するようにする。
【０１３８】
さらに、ＳＩＰサーバ１の制御部１１０は、当該応答指示の送出後、応答を行った配下のＩＰ電話端末と着信が発生している携帯電話端末５との間の音声データの中継処理を行うようにする。このように、ＳＩＰサーバ１の制御部１１０は、呼び出し制御、応答指示制御、通話制御の各工程を実行し、ドック装置４を通じて自機に接続される携帯電話端末５への着信に対して、配下のＩＰ電話端末３を通じて応答し、当該ＩＰ電話端末３を通じて通話を行えるようにしている。
【０１３９】
［実施の形態の効果］
このように、この実施の形態の電話システムにおいては、携帯電話端末５をドック装置４に対して接続するだけで、携帯電話端末５をＳＩＰサーバ１に対して接続することができる。そして、携帯電話端末５を電話システムのいわゆるゲートウェイ装置の１つとして利用し、携帯電話端末５へ着信に対して、ＳＩＰサーバ１の配下のＩＰ電話端末１を通じ応答し、発信元との間に通信回線を接続して通話を行うようにすることができる。そして、携帯電話端末５の着信時においてのみ、携帯電話端末５の電話帳ＤＢ５１４に登録されている電話帳データを、ＳＩＰサーバ１の配下のＩＰ電話端末３において利用することができるようにされる。したがって、携帯電話端末５の電話帳ＤＢ５１４の電話帳データが、無制限に第三者に利用されてしまい、プライバシーが侵害されるといった不都合を防止することができる。
【０１４０】
［発信元情報の通知の他の例］
上述した実施の形態においては、携帯電話端末５がドック装置４を通じてＳＩＰサーバ１に接続された状態にあるときに、携帯電話端末５に対して携帯電話網を通じた着信が発生すると、携帯電話端末５から発信元情報を含む着信情報をドック装置４に提供した。発信元情報は、上述もしたように、携帯電話端末５の電話帳ＤＢ５１４に記憶保持されている電話帳データに基づいて生成されるものである。したがって、当該携帯電話端末５への携帯電話網を通じて着信時においてのみ、携帯電話端末５の電話帳データをＳＩＰサーバ１の配下のＩＰ電話端末３において利用することができるようにされる。
【０１４１】
しかし、プライバシーの保護については十分でない場合もあると考えられる。そこで、以下に説明する発信元情報の通知の他の例は、携帯電話端末５の電話帳ＤＢ５１４に記憶されている電話帳データをより細かく使い分けることにより、プライバシーの保護をより適切に行うと共に、使い勝手の向上を図るようにしようとするものである。
【０１４２】
図１０、図１１は、発信元情報の通知の他の例を説明するための図である。そして、以下に説明する例においては、携帯電話端末５の電話帳ＤＢ５１４に保持される電話帳データを、登録時において、例えば、会社用電話帳データと、プライベート電話帳データと、個別着信用電話帳データとに分けて登録することができるようにされる。そして、携帯電話端末５に携帯電話網を通じて着信が発生した場合に、着信通知に含まれる発呼元の電話番号に基づいて、電話帳ＤＢ５１４を参照し、発信元の電話番号が、どの種類の電話帳データとして登録されているかを判別し、この判別結果に応じて、通知内容を異ならせるようにする。
【０１４３】
具体的には、図１０において、上段、中段、下段に分けて示すように、発信元の電話帳データの種類に応じて発信元情報の通知処理を異ならせる。すなわち、携帯電話端末５に着信が発生し、発信元の電話番号が会社用電話帳データとして登録されていたとする。この場合には、図１０の上段に示したように、当該会社用電話帳データに登録されている電話番号と名前とを含む発信元情報を生成し、これを着信情報に含めてドック装置４に提供する。会社用電話帳データは業務に必要な情報であり、プライバシーの問題は本来生じないものだからである。ドック装置４は、上述した実施の形態の場合と同様に、発信元情報をディスプレイネイムとして含むＩＮＶＩＴＥメッセージを形成してＳＩＰサーバ１に送信することにより、ＳＩＰサーバ１の配下のＩＰ電話端末３で発信元情報が表示用情報として用いられる。
【０１４４】
また、携帯電話端末５に着信が発生し、発信元の電話番号がプライベート電話帳データとして登録されていたとする。この場合には、図１０の中段に示したように、当該プライベート電話帳データに登録されている電話番号と名前とを含む発信元情報は生成せずに、発信元情報を含まない着信情報を形成し、これをドック装置４に提供する。プライベート電話帳データは、プライバシーの問題を生じさせるものだからである。ドック装置４は、発信元情報を含まないＩＮＶＩＴＥメッセージを形成してＳＩＰサーバ１に送信する。これにより、ＳＩＰサーバ１の配下のＩＰ電話端末３には、着信は通知できるが、その発信元は通知しないようにすることができる。
【０１４５】
なお、着信が発生し、発信元の電話番号がプライベート電話帳データとして登録されていた場合には、当該着信の発生自体を、ドック装置４に通知しないようにすることもできる。すなわち、プライベート電話帳データとして登録されている相手先からの着信については、ＳＩＰサーバ１の配下のＩＰ電話端末３を通じて応答できないようにすることもできる。
【０１４６】
また、携帯電話端末５に着信が発生し、発信元の電話番号が個別着信用電話帳データとして登録されていたとする。この場合には、図１０の下段に示したように、当該個別着信用電話帳データに登録されている電話番号と名前とを含み、さらに当該発信元が個別着信対象の相手先であることを示す情報を含む発信元情報を生成し、これを着信情報に含めてドック装置４に提供する。
【０１４７】
ここで、個別着信は、例えば、通常の着信音とは着信音を変えるなどして、特定の相手先からの着信であることを通知するようにされた相手先からの着信を意味する。この場合、ドック装置４は、発信元の電話番号、名前、発信元が個別着信対象の相手先であることを示す情報を含む発信元情報を含めたＩＮＶＩＴＥメッセージを形成してＳＩＰサーバ１に送信する。これにより、ＩＰサーバ１の配下のＩＰ電話端末３では、発信元情報を表示用情報として用いることができると共に、例えば、着信音を通常の着信音とは異なるように制御することが可能となる。
【０１４８】
また、携帯電話端末５の電話帳ＤＢ５１４に保持される個別着信用電話帳データに、ＳＩＰサーバ１の配下のどのＩＰ電話端末３に着信させるかを示す情報、例えば、当該ＩＰ電話端末３の内線番号を登録しておく。そして、このＩＰ電話端末３を特定する情報をも含めた発信元情報を、ドック装置４を通じてＳＩＰサーバ１に通知するようにする。これにより、ＳＩＰサーバ１において、どのＩＰ電話端末３に着信させるかを把握することができるので、ＳＩＰサーバ１は当該指示されたＩＰ電話端末３に対してだけ、携帯電話端末５に着信があることを通知するようにすることもできる。
【０１４９】
上述したように、電話帳データを使い分けるための電話帳データの管理方式としては、図１１（Ａ）、（Ｂ）に示すように、少なくとも２つの管理方式を用いることができる。図１１（Ａ）に示す管理方式は、例えば、電話帳ＤＢ５１４内に、会社用電話帳データファイル５１４Ａ、プライベート電話帳データファイル５１４Ｂ、個別着信用電話帳データファイル５１４Ｃを設ける。そして、会社用電話帳データ、プライベート電話帳データ、個別着信用電話帳データを対応するファイルに登録して管理する。そして、携帯電話端末５への着信時において、発信元情報取得部５１１は、発信元の電話番号に基づいて、上述した各ファイル５１４Ａ、５１４Ｂ、５１４Ｃの登録データを参照する。これにより、発信元情報取得部５１１は、発信元の電話帳データが、どのファイルに登録されているかに応じて、発信元の電話帳データがどの種類のものかを判別することができるようにされる。
【０１５０】
また、図１１（Ｂ）に示す管理方式は、電話帳データは電話帳ＤＢ５１４において一元管理するが、電話番号、名前、住所や電子メールアドレスなどの他の情報等からなる各電話帳データに対して、当該電話帳データの種類を示す区分（フラグ）を付すようにする。図１１（Ｂ）に示した例の場合には、会社用電話帳データには「１」、プライベート電話帳データには「２」、個別着信用電話帳データには「３」という区分情報（フラグ情報）を付すようにした場合の例を示している。これにより、携帯電話端末５への着信時において、発信元情報取得部５１１は、発信元の電話番号に基づいて、電話帳ＤＢ５１４の登録データを参照し、該当する電話帳データの区分（フラグ）に基づいて、発信元の電話帳データがどの種類のものかを判別することができるようにされる。
【０１５１】
また、携帯電話端末５への着信が、プライベート電話帳データとして登録されているプライベートな発信元からのものである場合には、ＩＰ電話端末３における発信元情報の表示はしないが、その他の場合には、発信元情報の表示を行いたいという場合もある。この場合の簡便な制御方法としては、発信元情報を表示しないようにするための特定の情報や特定のフラグを発信元情報に付加して携帯電話端末５からドック装置４に送信するものがある。
【０１５２】
図１２、図１３は、発信元情報の表示／非表示を、発信元情報に特定の情報や特定のフラグを付加することにより制御する方式を説明するための図である。図１２に示すように、ドック装置４に対して接続されることにより、ＳＩＰサーバ１に接続するようにされた携帯電話端末５に対して、携帯電話網を通じて着信があったとする。そして、携帯電話端末５の発信元情報取得部５１１が取得した発信元情報が、プライベート電話帳データであったために、携帯電話端末５の制御部５４０は、発信元情報を通知しないと判別したとする。
【０１５３】
この場合、携帯電話端末５の着信情報生成部５１２は、例えば、「１８４」などの着信元情報の非通知を意味する特定の情報、あるいは、着信元情報の非通知を意味する特定のフラグを発信元情報に付加し、この発信元情報を含む着信情報を生成する。この着信情報は、ドック装置４に提供される。
【０１５４】
そして、ドック装置４においては、図１３のフローチャートに示すように、まず、携帯電話端末５からの着信情報に含まれる発信元情報に、着信元情報の非通知を意味する特定の情報やフラグが付加されているか否かを判別する（ステップＳ２０２Ａ）。このステップＳ２０２Ａの判別処理において、付加されていると判別した場合には、ＳＩＰサーバ１に対して着信通知だけを行い、当該発信元情報は通知しないようにする（ステップＳ２０２Ｂ）。また、このステップＳ２０２Ａの判別処理において、付加されていないと判別した場合には、発信元情報を含むＩＮＶＩＴＥメッセージを形成して、これをＳＩＰサーバ１に対して提供する（ステップＳ２０２Ｃ）。
【０１５５】
このようにすることにより、携帯電話端末５において、プライベート電話帳データとして管理されている発信元の電話番号や名前をＳＩＰサーバ１の配下のＩＰ電話端末３において利用しないようにすることができる。なお、図１３に示したステップＳ２０２Ａ〜ステップＳ２０２Ｃの処理は、図９に示したステップＳ２０２の処理に替えて行われることになる。
【０１５６】
そして、非通知を示す情報やフラグが付加されている発信元情報を含め、着信情報に含められた全ての発信元情報をドック装置４において着信履歴情報の１つとして記憶保持しておくようにする。これにより、必要な場合には、ドック装置４で記憶保持される発信元情報を参照することにより、携帯電話端末５に対して何処から着信があったかを、携帯電話端末５のユーザが知るようにすることもできる。
【０１５７】
また、ここでは、ドック装置４において、発信元情報をＳＩＰサーバ１に通知するか否かを判別するようにしたが、これに限るものではない。表示／非表示を示す情報やフラグのついた発信元情報をＳＩＰサーバ１にも提供し、ＳＩＰサーバ１において、配下のＩＰ電話端末３に発信元情報を提供するか否かを判別するようにしてもよい。
【０１５８】
［この発明の方法、プログラム］
なお、上述した実施の形態において、図７のシーケンス図を用いて説明した電話システムの処理が、この発明による方法が適用されて実現されたものである。また、図８に示したフローチャートを用いて説明した処理を実行するプログラムを形成し、これを携帯電話端末に搭載されたコンピュータで実行できるように携帯電話端末に搭載することにより、この発明の携帯電話端末を実現することができる。
【０１５９】
また、図９に示したフローチャートを用いて説明した処理を実行するプログラムを形成し、これを図４を用いて説明したように、ＬＡＮ接続端子と外部接続端子を備えた中継装置に搭載されたコンピュータで実行できるように当該中継装置に搭載することにより、この発明のドック装置を実現することができる。
【０１６０】
［実施の形態の装置や回路部と、請求項の装置や手段との対応］
また、上述した実施の形態からも明らかなように、携帯電話端末５において、外部端子５３１及び外部Ｉ／Ｆ５３２が外部機器との接続端子の機能を実現し、電話帳ＤＢ５１４が記憶手段の機能を実現している。また、携帯電話端末５において、発信元情報取得部５１１が取得手段の機能を実現し、着信情報生成部５１２が着信情報生成手段の機能を実現し、中継処理部５１３が中継処理手段の機能を実現している。
【０１６１】
また、ＳＩＰサーバ１において、ＬＡＮ接続端子１０８及びＬＡＮＩ／Ｆ１０７がインターフェース手段としての機能を実現している。また、ＳＩＰサーバ１において、主に制御部１１０が、着信通知制御手段、応答指示制御手段、通話制御手段としての機能を実現している。
【０１６２】
また、ドック装置４において、外部端子４１１及び外部Ｉ／Ｆ４１２が第１の接続端部としての機能を実現し、ＬＡＮ接続端子４０１及びＬＡＮＩ／Ｆ４０２が第２の接続端部としての機能を実現している。また、ドック装置４において、呼び出しメッセージ生成部４２１が呼び出しメッセージ生成手段としての機能を実現し、中継処理部４２２が中継処理手段としての機能を実現している。
【０１６３】
［その他］
また、上述した実施の形態においては、ＩＰ電話システムにこの発明を適用した場合を例にして説明したが、これに限るものではない。ＳＩＰサーバ１の代わりに主装置を用い、ＩＰ電話端末３の代わりにいわゆる従来のボタン電話を用いた電話システムにこの発明を適用することができる。この場合に、各機器間で送受されるデータの形式が変わるだけで、同様の処理を行うようにすることができる。
【０１６４】
また、上述した実施の形態においては、携帯電話端末５とドック装置４とはＵＳＢ規格のインターフェースにより接続したが、これに限るものではない。例えば、ブルートゥース（Bluetooth）規格などの近距離無線通信インターフェースやＩｒＤＡ（Infrared Data Association）規格の赤外線による光無線データ通信インターフェースなどにより接続することも可能である。すなわち、有線、無線を問わず、種々のデジタルインターフェースによって、携帯電話端末５とドック装置４とを接続することができる。
【０１６５】
また、ＳＩＰサーバ１と携帯電話端末５とを直接に接続可能な場合には、ドック装置４を用いずに、ＳＩＰサーバ１と携帯電話端末５とを直接に接続するようにしてもよい。この場合、ドック装置４の機能をＳＩＰサーバ１が包含することになる。
【０１６６】
また、携帯電話端末５としては、一般的な携帯電話端末の他、いわゆるスマートホンなどと呼ばれる高機能携帯電話端末など、携帯電話網を通じて通信を行うことが可能な種々の携帯通信端末を用いることが可能である。このため、携帯電話端末５の操作入力部５２１は、表示画面に表示される表示情報と当該表示画面に貼付されるタッチパネルとにより実現されるいわゆるソフトウェアキーボードの構成とされる場合もある。
【符号の説明】
【０１６７】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレス管理ＤＢ、１０７…ＬＡＮＩ／Ｆ、１０８…ＬＡＮへの接続端子、１１０…制御部、２…ＬＡＮ、３…ＩＰ電話端末、３０１…ＬＡＮ接続端子、３０２…ＬＡＮＩ／Ｆ、３０３…パケット処理部、３０４…通話音声入出力Ｉ／Ｆ、３０５…ハンドセット接続端子、３０６…ハンドセット、３１１…操作入力部、３１２…操作入力Ｉ／Ｆ、３１３…ディスプレイコントローラ、３１４…ディスプレイ、３１５…リンガ、３２０…制御部、４…ドック装置、４０１…ＬＡＮ接続端子、４０２…ＬＡＮＩ／Ｆ、４１１…外部端子、４１２…外部Ｉ／Ｆ、４１３…充電電流供給部、４１４…ＡＣコンセント、４２１…呼び出しメッセージ生成部、４２２…中継処理部、４３０…制御部、５…携帯電話端末、５０１…送受信アンテナ、５０２…電話通信部、５０３…送受信信号処理部、５０４…通話音声処理部、５０５…受話アンプ、５０６…受話器（スピーカ）、５０７…送話器（マイクロホン）、５０８…送話アンプ、５１１…発信元情報取得部、５１２…着信情報生成部、５１３…中継処理部、５１４…電話帳ＤＢ、５２１…操作入力部、５２２…操作入力Ｉ／Ｆ、５２３…ディスプレイコントローラ、５２４…ディスプレイ、５２５…リンガ、５３１…外部端子、５３２…外部Ｉ／Ｆ、５３３…充電回路、５３４…バッテリ、５４０…制御部、６…ＩＰ網、７…電話網
【図１】
2012213097.tif 000003
【図２】
2012213097.tif 000004
【図３】
2012213097.tif 000005
【図４】
2012213097.tif 000006
【図５】
2012213097.tif 000007
【図６】
2012213097.tif 000008
【図７】
2012213097.tif 000009
【図８】
2012213097.tif 000010
【図９】
2012213097.tif 000011
【図１０】
2012213097.tif 000012
【図１１】
2012213097.tif 000013
【図１２】
2012213097.tif 000014
【図１３】
2012213097.tif 000015